(57)【要約】【課題】  回転リールの内部に演出画像を表示することができる内部表示装置を配置することで、中部パネルに設けられている表示装置と内部表示装置とで関連した演出画像を表示することができるスロットマシンを提供することを目的とする。【解決手段】  中部パネル部１０４には、透過窓ＷＤ部分を除いた中部パネル部の全面に演出画像を表示するための表示装置１０４Ｄが配置されている。また、回転リールの内部にも演出画像を表示するための内部表示装置３０１が配置されている。内部表示装置３０１が表示する演出画像とは、液晶表示による演出画像やドットマトリクス表示による演出画像である。【選択図】  図６
2006149673.tif 000002
【特許請求の範囲】
【請求項１】
複数の回転リールの回転および停止を制御すると共に、表示装置によって演出画像を表示するスロットマシンにおいて、
前記複数の回転リールの少なくとも一部が透明の材質で構成され、
前記複数の回転リールの内部に具備する内部表示装置を備え、
前記表示装置で表示した演出画像と前記内部表示装置で表示する演出画像とを関連付けて表示することを特徴とするスロットマシン。
【請求項２】
遊技者の操作によって抽選を行い、該抽選結果によって、出目を表示するスロットマシンにおいて、
前記内部表示装置は、前記抽選結果によって前記複数の回転リールが回転中に前記抽選結果に関連した演出画像を表示することができることを特徴とする請求項１記載のスロットマシン。
【請求項３】
前記内部表示装置で表示する演出画像の表示を有効または無効に切り替える表示切替手段を備え、
前記表示切替手段によって前記内部表示装置で表示する演出画像の表示を無効に切り替えた場合に、前記表示装置のみで演出画像を表示することを特徴とする請求項１から２のいずれか１項に記載のスロットマシン。
【発明の詳細な説明】
【技術分野】
【０００１】
本発明は、液晶表示装置を備えたスロットマシンに関し、特に、表示装置によって演出画像を表示することができるスロットマシンに関する。
【背景技術】
【０００２】
従来、図９に示すような中部パネル全面の液晶表示装置が知られている。
中部パネル部１０には中部パネル部の全面に演出画像を表示するための液晶表示装置１１と遊技者に回転リール１３ａ〜１３ｃを視認させるための透過窓１２が設けられている。液晶表示装置１１によって演出画像を中部パネル部１１の全面に表示させることで派手な演出を提供することができ、遊技者に遊技の期待感を高めさせることができる。
【０００３】
しかし、従来の中部パネル全面の液晶表示装置は、回転リール１３ａ〜１３ｃが停止した時のみ演出画像を全面に表示することしかできず、回転リール１３ａ〜１３ｃが回転している時は、図１０に示すように回転リール１３ａ〜１３ｃ上に描かれている図柄の表示を妨げないように、「ＢＩＧ  ＢＯＮＵＳ」という演出画像を回転リール１３ａ〜１３ｃの上に表示している。
【０００４】
また、特開２００１―２３１９１５号公報（以下、特許文献１）では、回転リール内に画像表示装置を配置し、遊技者の視点移動を少なくすることで、遊技者に対して画像表示装置による遊技に関する各種表示を提供するものがある。
【特許文献１】特開２００１−２３１９１５号公報
【発明の開示】
【発明が解決しようとする課題】
【０００５】
しかしながら、中部パネル部の全面に演出画像を表示する液晶表示装置は、回転リールが回転中は回転リール上に描かれている図柄の表示を妨げないように、回転リールの上に演出画像を表示しなければならず、回転リールの上に演出画像を表示する場合には、中部パネル部の全面に演出画像を表示する場合とでは、迫力に欠けてしまい、遊技者に対して満足な遊技を提供することができない。
【０００６】
また、回転リールが回転中にも回転リール内部に搭載した画像表示装置によって、回転リールが回転中でも演出画像を表示することができる特許文献１に記載されている発明では、上記に示した中部パネル部の全面に演出画像を表示する液晶表示装置とは異なり回転リールが回転中でも演出画像を表示することはできるが、回転リールの内部に画像表示装置を配置するということは、回転リール内部に配置できる大きさが限られてしまい、さらに、演出画像の表示の大きさも限られてしまう。
【０００７】
本発明は係る問題に鑑みてなされたものであり、回転リールの内部に演出画像を表示することができる内部表示装置を配置することで、中部パネルに設けられている表示装置と内部表示装置とで関連した演出画像を表示することができるスロットマシンを提供することを目的とする。
【課題を解決するための手段】
【０００８】
上記目的を達成するために、請求項１記載のスロットマシンは、複数の回転リールの回転および停止を制御すると共に、表示装置によって演出画像を表示するスロットマシンにおいて、複数の回転リールの少なくとも一部が透明の材質で構成され、複数の回転リールの内部に具備する内部表示装置を備え、表示装置で表示した演出画像と内部表示装置で表示する演出画像とを関連付けて表示することを特徴とする。
【０００９】
請求項２記載の発明は、請求項１記載のスロットマシンであって、遊技者の操作によって抽選を行い、該抽選結果によって、出目を表示するスロットマシンにおいて、内部表示装置は、抽選結果によって複数の回転リールが回転中に抽選結果に関連した演出画像を表示することができることを特徴とする。
【００１０】
請求項３記載の発明は、請求項１から２のいずれか１項に記載のスロットマシンであって、内部表示装置で表示する演出画像の表示を有効または無効に切り替える表示切替手段を備え、表示切替手段によって内部表示装置で表示する演出画像の表示を無効に切り替えた場合に、表示装置のみで演出画像を表示することを特徴とする。
【発明の効果】
【００１１】
本発明のスロットマシンによれば、回転リールを透視可能とする透視窓以外で演出画像を表示している表示装置と回転リールの内部に配置された内部表示装置により中部パネルの全面に演出画像を表示することが可能となる。また、回転リールの内部に表示装置を備えることで回転リールの回転中にも内部表示装置によって演出画像を表示することができ、さらに、表示装置と内部表示装置とで異なる演出画像を表示することが可能となる。
【発明を実施するための最良の形態】
【００１２】
次に、図面を参照して本実施形態を説明する。
まず、図１を参照して本スロットマシン１００の外部構造を説明すると、本スロットマシン１００は、遊技者に面するフロントドア１０１と、フロントドア１０１が開閉可能に取り付けられた後述の筐体１０２とを備えて構成されている。
【００１３】
フロントドア１０１は、機械的に強固な硬質プラスチックで成形された上部パネル部１０３と中部パネル部１０４及び下部パネル部１０５とを備えて構成されている。
【００１４】
上部パネル部１０３には、上部ランプと呼ばれる演出用ランプ１０３Ａ，１０３Ｂ，１０３Ｃが設けられている。
【００１５】
中部パネル部１０４には、透明な硬質プラスチック板で形成された略長方形の透過窓ＷＤと、演出用ランプ１０４Ａ，１０４Ｂが設けられ、筐体１０２内に設けられている回胴リール装置２００の回胴リールＲ１，Ｒ２，Ｒ３を遊技者が透過窓ＷＤを介して見ることが可能となっている。本実施形態では、中部パネル部１０４に設けられた透過窓ＷＤから回胴リールＲ１，Ｒ２，Ｒ３を見ることができる部分を透過窓ＷＤＡとする（図１に示す中部パネル部１０４の中央に位置する点線部分）。
【００１６】
さらに、中部パネル部１０４には、中部パネル部１０４の全面に演出画像を表示することができる液晶表示装置１０４Ｄが透過窓ＷＤと重なるようにして、透過窓ＷＤの裏側に設けられている。なお、液晶表示装置１０４Ｄは、リール回転中では透過窓ＷＤＡ部分に関して、演出画像を表示しない。
【００１７】
さらに、中部パネル部１０４の下端には、遊技者が操作するための操作部１０４Ｃが設けられ、当該操作部１０４Ｃには、スロットマシンゲームを行うのに必要な遊技メダルを投入するためのメダル投入部ＭＤと、１ゲーム当たりのメダル数を提示するためのベットボタンＢ１，Ｂ２と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３が設けられている。
【００１８】
さらに、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると施錠機構（図示略）を解除し、フロントドア１０１を筐体１０２から開くことが可能となっている。
【００１９】
さらに、後述する回転リールＲ１〜Ｒ３内に設けられた表示装置３０１による演出画像の表示を有効または無効にする有効／無効ボタンＹＭが設けられている。
【００２０】
下部パネル部１０５には、本スロットマシン１００のゲーム内容を紹介等するための画像（図示略）が描かれており、さらに遊技者の獲得した枚数の遊技メダルを払い出すための排出口１０５Ａ及び受け皿１０５Ｂと、スピーカが取り付けられた放音部１０５Ｃ，１０５Ｄが設けられている。
【００２１】
次に、図２を参照して、フロントドア１０１の裏面構造と、筐体１０２の内部構造を説明する。なお、図２はフロントドア１０１を開錠して筐体１０２から開いた状態を表している。
【００２２】
同図において、フロントドア１０１の裏面上部には、電気回路基板で形成されたサブ制御基板３００が取り付けられている。すなわち、サブ制御基板３００は、導電性配線パターンの形成された絶縁性樹脂基板上の集積回路装置（ＩＣ）やトランジスタ、抵抗、コンデンサ等の電子部品が搭載されて配線接続されたいわゆる電気回路基板として形成され、液晶表示装置１０４Ｄの裏面側に重なるようにして取り付けられている。
【００２３】
液晶表示装置１０４Ｄの前面には、上述の透過窓ＷＤと中部パネル部１０４のパネル面とが形成された略長方形の枠体１０４Ｅが取り付けられている。
【００２４】
枠体１０４Ｅの下方には、メダル投入部ＭＤより投入される投入物を正規の遊技メダルか異物かを判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５Ａへ案内するガイド部材Ｇ２と、ホッパ装置ＨＰから出力される払い出し用の遊技メダルを排出口１０５Ａへ案内するガイド部材Ｇ３が設けられ、さらに排出口１０５Ａの近傍に放音部１０５Ｃ，１０５Ｄを構成するスピーカＳＲ，ＳＬが取り付けられている。
【００２５】
上述の枠体１０４Ｅとセレクト機構Ｇ０との間には、長尺状の電気回路基板で形成された中央表示基板４００が取り付けられており、当該中央表示基板４００の一端に、発光ダイオードで形成されたセグメント表示を行う設定表示素子ＣＴと、設定ボタンＣＳとが設けられている。
【００２６】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、さらに設定表示素子ＣＴと設定ボタンＣＳとが搭載されて配線接続されている。
【００２７】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。さらに、回転リール装置２００の内部には後述する表示装置３０１が設けられている。
【００２８】
さらに、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板８００が取り付けられている。
【００２９】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３０】
ただし、サブ制御基板３００と主制御基板７００は、それぞれ硬質プラスチックの収納ケース内に個別に収納されたユニット構造となっている。
【００３１】
次に、図３のブロック図を参照して制御システムの構成を説明する。
上述の主制御基板７００は、本スロットマシン１００の動作を統括管理するために設けられ、主制御基板７００と中心としてサブ制御基板３００、中央表示基板４００、電源装置基板５００、回胴装置基板６００、外部集中端子基板（図示略）がそれぞれ所定の配線ケーブル（図示略）を介して配線接続されている。
【００３２】
ここで、主制御基板７００には、半導体メモリＲＯＭと、マイクロプロセッサＭＰＵが搭載されており、当該マイクロプロセッサＭＰＵが、半導体メモリＲＯＭに予め記憶されているシステムプログラムとスロットマシンゲーム用のプログラムを実行し、各基板３００，４００，５００，６００，７００および外部集中端子基板を制御することによって、本スロットマシン１００の動作状況とゲームの進行を統括管理している。
【００３３】
すなわち、遊技者がスタートレバーＳＴとストップボタンＳＰ１，ＳＰ２，ＳＰ３等を操作してゲームを行い、スロットマシンゲーム用のプログラムで予め決められている複数種類の役の何れかを取得すると、マイクロプロセッサＭＰＵは、その遊技者の取得した役に対応した制御モードでゲームの進行を制御する。別言すれば、マイクロプロセッサＭＰＵは、遊技者のゲーム操作に応じてスロットマシンゲーム用のプログラムを実行することによって、遊技の種類を設定し且つ進行すべき遊技の状態を制御する。
【００３４】
さらに、サブ制御基板３００には、演出用スピーカＳＲ，ＳＬと演出用ランプ１０３Ａ，１０３Ｂ，１０３Ｃ，１０４Ａ，１０４Ｂと液晶表示装置１０４Ｄ、表示装置３０１、有効／無効ボタンＹＭがそれぞれ所定の配線ケーブル（図示略）を介して配線接続されており、サブ制御基板３００に設けられている電気回路が、主制御基板７００からの指示に従ってこれら演出用スピーカＳＲ．ＳＬと演出用ランプ１０３Ａ，１０３Ｂ，１０３Ｃ，１０４Ａ，１０４Ｂと液晶表示装置１０４Ｄ、表示装置３０１を駆動することにより遊技者の視覚や聴覚に訴える演出を行うようになっている。
【００３５】
回胴装置基板６００は、回胴リール装置２００が接続されており、主制御基板７００からの指令に従って電動モータへの駆動電力と駆動タイミングを制御することにより、回胴リールＲ１，Ｒ２，Ｒ３の回転と制動及び停止の制御を行う。
【００３６】
中央表示基板４００には、上述の設定表示素子ＣＴと設定ボタンＣＳが接続され、更にセレクト機構Ｇ０と、ベットボタンＢ１，Ｂ２，Ｂ３、スタートレバーＳＴ、ストップボタンＳＰ１，ＳＰ２，ＳＰ３が所定の配線ケーブル（図示略）を介して配線接続されている。
【００３７】
そして、中央表示基板４００は、ベットボタンＢ１，Ｂ２，Ｂ３とスタートレバーＳＴとストップボタンＳＰ１，ＳＰ２，ＳＰ３がそれぞれオン又はオフ操作されたことを示す操作信号（符号略）を主制御基板７００中のマイクロプロセッサＭＰＵに転送し、ゲームの信号を制御させる。
【００３８】
また、セレクト機構Ｇ０には、メダル投入部ＭＤから投入された投入物を遊技メダルか異物か検知する光学センサ又は機械センサもしくは磁気センサが設けられており、これらのセンサから出力される投入物検出信号（符号略）を中央表示基板４００が主制御基板７００中のマイクロプロセッサＭＰＵへ転送する。
【００３９】
そして、マイクロプロセッサＭＰＵが遊技メダルの投入されたことを示す投入物検出信号を入力すると、メダルの投入枚数を集計する。一方、異物の投入されたことを示す投入物検出信号を入力すると異常が発生したと判断し、上述のサブ制御基板３００に指令して、演出用スピーカＳＲ，ＳＬに警報音を発生させたり、演出用ランプ１０３Ａ，１０３Ｂ，１０３Ｃ，１０４Ａ，１０４Ｂにて警報表示させたりする。
【００４０】
また、設定ボタンＣＳは、事業者や管理者が出玉率を設定変更するためにもうけられており、設定表示素子ＣＴは、１から６までの何れかの数字をセグメント表示することにより、設定ボタンＣＳによって設定変更された出玉率を段階表示する。
【００４１】
すなわり、設定ボタンＣＳがオン操作されると、中央表示基板４００は、そのオン操作される旅に設定信号（符号略）を主制御基板７００中のマイクロプロセッサＭＰＵへ転送し、マイクロプロセッサＭＰＵは設定信号を入力する毎に、予め６段階に決められている出玉率を順繰りに変化させ、さらに変化させた出玉率に相当する数字を示す設定表示信号（符号略）を中央表示基板４００へ返送する。そして、中央表示基板４００が設定表示信号に基づいて設定表示素子ＣＴに数字をセグメント表示させることにより、事業者や管理者に設定変更された出玉率の情報を知らせる。
【００４２】
次に、電源装置基板５００には、図２にも示されているように、システム電源スイッチＢＱと設定スイッチＢＯ等が搭載されている。さらに、電源装置基板５００には、電源装置ＰＷＵで発生される各電源電圧をホッパ装置ＨＰその他の各所に配電する配電回路が形成されており、かかる配電回路からスロットマシン１００の動作に必要なシステム電源が供給されている。
【００４３】
システム電源スイッチＢＱは、本制御システムをパワーオンリセットするために設けられており、設定スイッチＢＯは、事業者や管理者が手操作によって出玉率を設定変更するために設けられている。
【００４４】
すなわち、事業者や管理者が正規の鍵を設定スイッチＢＯに設けられている鍵穴に挿入した状態で、システム電源スイッチＢＱをオフ操作し、次に上述の鍵を時計回り方向へ回転してからシステム電源スイッチＢＱをオン操作すると、上述のパワーオンリセットのタイミングで、主制御基板７００内のマイクロプロセッサＭＰＵが出玉率を設定変更するためのモードに移行して、中央表示基板４００に設けられている設定ボタンＣＳと設定表示素子ＣＴの制御を開始する。
【００４５】
そして、上述したように事業者や管理者が設定ボタンＣＳを適宜にオン操作し、設定表示素子ＣＴに表示される数字を確認した上でスタートレバーＳＴをオン操作すると、マイクロプロセッサＭＰＵが、設定表示素子ＣＴに表示される数字に対応する出玉率を確定し、更に設定ボタンＣＳに挿入されている上述の鍵が反時計回り方向に操作されて抜き取られると、出玉率の設定変更の操作が終了したと判断して、確定した出玉率に基づいてゲーム動作を再開する。
【００４６】
次に、図４〜８を参照して本実施形態における回転リール内部に配置した表示装置について説明する。
図４は、中部パネル１０４を正面から見た図である。
中部パネル１０４には、中部パネルの全面に演出画像を表示するための液晶表示装置１０４Ｄが配置されている。また、回転リールの内部にも図５に示すように演出画像を表示するための表示装置３０１が配置されている。
【００４７】
なお、液晶表示装置１０４Ｄは透過窓ＷＤＡに関して、回転リールが回転中の場合には演出画像を表示せず、液晶表示装置１０４Ｄと表示装置３０１とで関連した演出画像を表示する際に、液晶表示装置１０４Ｄは、透過窓ＷＤＡ部分を除いた透過窓ＷＤに、表示装置３０１は回転リール内部から透過窓ＷＤＡ部分に演出画像を表示させる。
【００４８】
さらに、本実施形態における回転リールＲ１〜Ｒ３は透明もしくは半透明な材質で構成されており、回転リールＲ１〜Ｒ３の内部に配置されている表示装置３０１による演出画像を回転リールＲ１〜Ｒ３に描かれている図柄以外の透明な部分から見ることができる。
また、回転リールＲ１〜Ｒ３を透明な材質で構成すると共に、回転リールＲ１〜Ｒ３に描かれている図柄を半透明な図柄にすることで、遊技者に対し表示装置３０１が表示する演出画像を見やすくすることができる。
【００４９】
図６では、液晶表示装置１０４Ｄと表示装置３０１とで演出画像を表示した図である。
図６に示すように、液晶表示装置１０４Ｄと表示装置３０１とを利用して、中部パネル部１０４全面に「ＢＩＧ  ＢＯＮＵＳ」という演出画像を表示することができる。
【００５０】
図７では、液晶表示装置１０４Ｄと表示装置３０１とで異なる演出画像を表示した図である。図７に示すように液晶表示装置１０４Ｄでは、「ＢＩＧ  ＢＯＮＵＳ」という演出画像を表示し、表示装置３０１では、回転リールＲ１〜Ｒ３に描かれている図柄を強調するような演出画像を表示することができる。
【００５１】
図８では、回転リールの回転中に表示装置３０１による演出画像の表示を示した図である。
図８に示すように回転リールが回転中にでも表示装置３０１によって演出画像を表示することができる。図７では、回転リールＲ２，Ｒ３が回転中に回転リールＲ２の中段部分と回転リールＲ３の上段部分に「星形」の演出画像を表示している。回転リールが回転中でも演出画像は、回転リールが透明な材質で構成されているため、透明な部分から演出画像を視認することができる。
【００５２】
次に、有効／無効ボタンＹＭについて説明する。
有効／無効ボタンＹＭは、図１に示すように操作部１０４Ｃに設けられ、回転リール内に配置されている表示装置３０１による演出画像表示を有効または無効にするボタンである。遊技者によっては表示装置３０１による演出画像の表示が煩わしいと感じる場合もあることから、遊技者の好みによって有効／無効ボタンＹＭを押下することにより、表示装置３０１による演出画像の表示を有効または無効にすることができる。
【００５３】
表示装置３０１による演出画像の表示を有効／無効ボタンＹＭの押下により無効にした場合には、液晶表示装置１０４Ｄのみで演出画像を表示し、この場合ではリール回転中に透過窓ＷＤＡ部分に演出画像は表示されない。
【００５４】
以上の説明から、液晶表示装置１０４Ｄと表示装置３０１とで中部パネル全面に１つの演出画像を表示することができる。さらに、回転リールが透明材質にすることにより、回転リールが回転している時でも表示装置３０１で表示する演出画像を見ることができる。
【００５５】
さらに、スロットマシンは表示装置３０１による演出画像の表示を有効または無効にすることができる有効／無効ボタンＹＭを備えており、遊技者の好みによって表示装置３０１による演出画像の表示を有効または無効にすることができる。
【図面の簡単な説明】
【００５６】
【図１】本実施形態におけるスロットマシンの外観構造を概略的に表した図である。
【図２】図１に示したスロットマシンの内部構造を概略的に表した平面図である。
【図３】図１及び図２に示したスロットマシンに設けられている制御システムの構成を表したブロック図である。
【図４】本実施形態における中部パネルの構成を示した図である。
【図５】本実施形態における回転リールの内部を示した図である。
【図６】本実施形態における演出画像の表示の一例を示した図である。
【図７】本実施形態における演出画像の表示の一例を示した図である。
【図８】本実施形態における演出画像の表示の一例を示した図である。
【図９】従来の中部パネルの構成を示した図である。
【図１０】従来の演出画像の表示の一例を示した図である。
【符号の説明】
【００５７】
１０４Ｄ    液晶表示装置
３０１    表示装置
【図１】
2006149673.tif 000003
【図２】
2006149673.tif 000004
【図３】
2006149673.tif 000005
【図４】
2006149673.tif 000006
【図５】
2006149673.tif 000007
【図６】
2006149673.tif 000008
【図７】
2006149673.tif 000009
【図８】
2006149673.tif 000010
【図９】
2006149673.tif 000011
【図１０】
2006149673.tif 000012